(57)【要約】      （修正有）【課題】座席の後方且つ操縦部の床面よりも高い位置に、左右一対のリヤステップを形成するにあたり、強度を維持しつつ軽量化を図ることが可能であるとともに、製造コストも低く抑えることが可能な乗用移植機を提供する。【解決手段】フロアステップ側から上方に立上る立上り部３７及び立上り部３７から後方に向かって延設されたステップ部３８を有するステップ形成体３２を、ブロー形成により一体形成し、該ステップ形成体３２を左右のステップフレーム２６にそれぞれ取付けることにより各ステップ部３８の上面側にリヤステップを形成してなる乗用移植機において、ステップ形成体３２を左右対称な形状とし、ブロー形成時に圧縮される左右一対のコンプレッション部４１を所定間隔離間させてステップ部３８に左右対称に設け、該左右のコンプレッション部４１をステップフレーム２６への取付部とする。【選択図】図６
2011030443.tif 000002
【特許請求の範囲】
【請求項１】
走行機体（３）の後部に植付作業機（４）を連結し、走行機体（３）にオペレータが乗込む操縦部（１３）を設置し、操縦部（１３）の床面となるフロアステップ（１８）の後方のフロアステップ（１８）より高い位置に左右一対のリヤステップ（２２）を形成するにあたり、フロアステップ（１８）側から上方に立上る立上り部（３７）及び立上り部（３７）から後方に向かって延設されたステップ部（３８）を有するステップ形成体（３２）を、ブロー形成により一体形成し、該ステップ形成体（３２）を左右のステップフレーム（２６）にそれぞれ取付けることにより各ステップ部（３８）の上面側にリヤステップ（２２）を形成してなる乗用移植機において、ステップ形成体（３２）を左右対称な形状とし、ブロー形成時に圧縮される左右一対のコンプレッション部（３９），（４１）を所定間隔離間させてステップ部（３８）に左右対称に設け、該左右のコンプレッション部（３９），（４１）をステップフレーム（２６）への取付部とした乗用移植機。
【請求項２】
前記左右一対のコンプレッション部（３９），（４１）をステップ部（３８）の下面側と上面側にそれぞれ設けるにあたり、ステップ部（３８）の下面側のコンプレッション部（４１）を、ステップフレーム（２６）の前後方向の支持部材（４６）に支持される前後方向の溝状コンプレッション部とし、ステップ部（３８）の上面側のコンプレッション部（３９）を、前記支持部材（４６）にボルト固定するためのボルト固定用コンプレッション部とした請求項１の乗用移植機。
【請求項３】
前記溝状コンプレッション部（４１）の前部にステップフレーム（２６）の支持部材（４６）と凹凸嵌合する嵌合部（４２）を設けてなる請求項２の乗用移植機。
【請求項４】
ステップ形成体（３２）のステップフレーム（２６）への取付時にステップフレーム（２６）上に前後スライド可能に載置される立上り部（３７）の下端部側にステップフレーム（２６）にボルト固定されるボルト固定部（４３）を形成してなる請求項１，２又は３の乗用移植機。
【発明の詳細な説明】
【技術分野】
【０００１】
この発明は、座席の後方且つ操縦部の床面よりも高い位置に、左右一対のリヤステップを形成した乗用移植機に関する。
【背景技術】
【０００２】
走行機体の後部に植付作業機を連結し、走行機体にオペレータが乗込む操縦部を設置し、操縦部の床面となるフロアステップの後方のフロアステップより高い位置に左右一対のリヤステップを形成し、該リヤステップ上の作業者によって植付作業機への苗供給を行うことが可能な乗用移植機が従来公知である。
【０００３】
さらに、フロアステップ側から上方に立上る立上り部及び立上り部から後方に向かって延設されたステップ部を有するステップ形成体を、ブロー形成により一体形成し、該ステップ形成体を左右のステップフレームにそれぞれ取付けることにより各ステップ部の上面側にリヤステップを形成した特許文献１に示す乗用移植機が公知になっている。
【先行技術文献】
【特許文献】
【０００４】
【特許文献１】特開２００８−２７８７６５号公報（第２図）
【発明の概要】
【発明が解決しようとする課題】
【０００５】
上記文献の乗用移植機は、ブロー成形によって中空状のステップ形成体を一体的に形成するため、強度を維持しつつ軽量化を図ることが可能になるというメリットがある一方で、左右のステップ形成体が別形状であるため、左右のステップ形成体のそれぞれについて、別の形成型を用意する必要であり、コストを低く抑えることが困難になるという課題がある。
本発明は、座席の後方且つ操縦部の床面よりも高い位置に、左右一対のリヤステップを形成するにあたり、強度を維持しつつ軽量化を図ることが可能であるとともに、製造コストも低く抑えることが可能な乗用移植機を提供することを目的とする。
【課題を解決するための手段】
【０００６】
上記目的を達成するため本発明の乗用移植機は、第１に、走行機体３の後部に植付作業機４を連結し、走行機体３にオペレータが乗込む操縦部１３を設置し、操縦部１３の床面となるフロアステップ１８の後方のフロアステップ１８より高い位置に左右一対のリヤステップ２２を形成するにあたり、フロアステップ１８側から上方に立上る立上り部３７及び立上り部３７から後方に向かって延設されたステップ部３８を有するステップ形成体３２を、ブロー形成により一体形成し、該ステップ形成体３２を左右のステップフレーム２６にそれぞれ取付けることにより各ステップ部３８の上面側にリヤステップ２２を形成してなる乗用移植機において、ステップ形成体３２を左右対称な形状とし、ブロー形成時に圧縮される左右一対のコンプレッション部３９，４１を所定間隔離間させてステップ部３８に左右対称に設け、該左右のコンプレッション部３９，４１をステップフレーム２６への取付部としたことを特徴としている。
【０００７】
第２に、前記左右一対のコンプレッション部３９，４１をステップ部３８の下面側と上面側にそれぞれ設けるにあたり、ステップ部３８の下面側のコンプレッション部４１を、ステップフレーム２６の前後方向の支持部材４６に支持される前後方向の溝状コンプレッション部とし、ステップ部３８の上面側のコンプレッション部３９を、前記支持部材４６にボルト固定するためのボルト固定用コンプレッション部としたことを特徴としている。
【０００８】
第３に、前記溝状コンプレッション部４１の前部にステップフレーム２６の支持部材４６と凹凸嵌合する嵌合部４２を設けてなることを特徴としている。
【０００９】
第４に、ステップ形成体３２のステップフレーム２６への取付時にステップフレーム２６上に前後スライド可能に載置される立上り部３７の下端部側にステップフレーム２６にボルト固定されるボルト固定部４３を形成してなることを特徴としている。
【発明の効果】
【００１０】
以上のように構成される乗用移植機によれば、座席の後方且つ操縦部の床面よりも高い位置に、左右一対のリヤステップを設けるにあたり、強度を維持しつつ計量化することを目的として、上面側にリヤステップが形成されたステップ形成体を、ブロー形成により一体形成するが、この際、ステップ形成体がコンプレッション部も含めて左右対称な形状であって、左右のステップ形成体を同一の型によって形成可能であるため、製造コストを低く抑えることが可能になるという効果がある。
【００１１】
また、前記左右一対のコンプレッション部をステップ部の下面側と上面側にそれぞれ設けるにあたり、ステップ部の下面側のコンプレッション部を、ステップフレームの前後方向の支持部材に支持される前後方向の溝状コンプレッション部とし、ステップ部の上面側のコンプレッション部を、前記取付部にボルト固定するためのボルト固定用コンプレッション部とすれば、溝状コンプレッション部によってステップ形成体自体の強度が向上するとともに、該溝状コンプレッション部が前後に長い支持部材によって支持されるので支持強度も向上するという効果がある。
【００１２】
また、前記溝状コンプレッション部の前部にステップフレームの支持部材と凹凸嵌合する嵌合部を設けることにより、ステップ形成体のステップフレームへの取付けが容易になるという効果がある。
【００１３】
さらに、ステップ形成体のステップフレームへの取付時にステップフレーム上に前後スライド可能に載置される立上り部の下端部側にステップフレームにボルト固定されるボルト固定部を形成することにより、ステップ形成体のステップフレームへの取付強度がさらに向上する他、ステップ形成体のステップフレームへの取付けがさらに容易になるという効果がある。
【図面の簡単な説明】
【００１４】
【図１】本発明を適用した乗用田植機の全体側面図である。
【図２】本発明を適用した乗用田植機の全体平面図である。
【図３】各種ステップの構成を示す走行機体の要部斜視図である。
【図４】各種ステップの構成を示す走行機体の要部平面図である。
【図５】各種ステップの構成を示す走行機体の要部分解斜視図である。
【図６】リヤステップ形成体の支持構造を示す斜視図である。
【図７】リヤステップ形成体の側断面図である。
【発明を実施するための形態】
【００１５】
以下図示する例に基づき本発明の実施形態について説明する。
図１，２は、本発明を適用した乗用田植機の全体側面図及び全体平面図である。図示する乗用田植機は、左右一対の前輪１，１及び後輪２，２によって支持された走行機体３と、走行機体３の後方に配置されて走行機体３に昇降リンク６を介して昇降自在に連結された植付作業機４と、走行機体３の左右の側方にそれぞれ配置された左右一対の複数段の棚状の予備苗載せ台７と、を備えている。
【００１６】
上記予備苗載せ台７は、マット苗及びマット苗を収容した苗箱よりなる予備苗（図示しない）を載置する載置台８を上下方向に複数有している。
【００１７】
上記植付作業機４は、背面側にマット苗を左右及び上下方向に配置する苗載せ台９と、苗載せ台９の下方に配置されて苗載せ台９上の苗を掻き取って圃場に植付ける植付部１１とを備えている。
【００１８】
上記走行機体３は、前側のエンジン（図示しない）を収容するボンネット１２の後方にオペレータが乗込む操縦部１３が設置されている。操縦部１３におけるオペレータが着座する座席１４の前方にはステアリングハンドル１６が配置され、該ステアリングハンドル１６の側方には揺動操作によって前後進切換操作及び走行変速操作を行う走行レバー１７が支持され、平面視座席１４とステアリングハンドル１６の間には、操縦部１３の床面となるフロアステップ１８が形成されている。
【００１９】
フロアステップ１８の左右側方には、該フロアステップ１８を挟むように左右一対のワイドステップ１９，１９が配置され、フロアステップ１８の前方且つボンネット１２の左右側方には、平面視ボンネット１２を挟むように左右一対のフロントステップ２１，２１が配置されており、これらフロアステップ１８、左右のワイドステップ１９，１９及び左右のフロントステップ２１，２１は、同一高さに形成され且つ一体的に連接されて単一状の面をなしている。
【００２０】
また、フロアステップ１８及び左右のワイドステップ１９，１９の後方には、これらのステップ１８，１９よりも一段高く左右一対のリヤステップ２２が形成され、この左右のリヤステップ２２，２２は、平面視で、座席１４の背もたれ１４ａの左右側方にそれぞれ位置している。
【００２１】
さらに、各ワイドステップ１９の外側方には、ワイドステップ１９よりも一段低く、乗降ステップ２３が設けられ、この乗降ステップ２３に足を引掛けることにより、オペレータは操縦部１３への乗降を容易に行うことが可能になる。
【００２２】
上記構成の乗用移植機では、フロントステップ上２１の作業者によって、走行機体３前方からの予備苗の予備苗載せ台７に載置する作業を行い、リヤステップ２２上の作業者によって、苗箱から取出したマット苗の苗載せ台９への載置作業を行う。そして、苗載せ台９に苗を載置した状態で、植付作業機４を駆動させながら、圃場を走行し、圃場に苗を植付けていく。
【００２３】
次に、図３乃至５に基づき各ステップの構成について説明する。
図３乃至５は、各種ステップの構成を示す走行機体の要部斜視図、要部平面図及び要部分解斜視図である。走行機体３は、前後方向に形成されたメインフレーム２４と、該メインフレーム２４から左右の側方にそれぞれ一体的に突出形成された左右一対のステップフレーム２６，２６とにより機体フレーム２７を構成し、該機体フレーム２７に上述の各種ステップ１８，１９，２１，２２が上面側に形成されたステップ形成体２８，２９，３１，３２が支持固定されている。
【００２４】
上記座席１４を支持する座席フレーム３３は、メインフレーム２４後部を構成する左右方向の鉄製のリヤセンターステップ３４に支持固定され、機体フレーム２７上の左右方向中央部における座席フレーム１３の前方には、フロアステップ１８が上面側に形成されたフロアステップ形成体２８が支持固定されており、このフロアステップ形成体２８の各外側方には、対応するステップフレーム２６上に支持固定されたワイドステップ形成体２９が支持固定され、この左右の各ワイドステップ形成体２９の上面側に上述のワイドステップ１９が形成されている。
【００２５】
また、機体フレーム２７におけるフロアステップ１８の前方には、平面視で後方が開放されたＵ字状のフロントステップ形成体３１が取付固定され、このフロントステップ３１の左右の上面側にそれぞれ上述のフロントステップ２１が形成されている。ちなみに、平面視で、フロントステップ形成体３１とフロアステップ２８形成体によって四方を囲繞されたスペース３６にボンネット１２が配置される。
【００２６】
さらに、左右の各ステップフレーム２６上の後部には、リヤステップ形成体（ステップ形成体）３２が支持固定されている。この左右の各リヤステップ形成体３２は、合成樹脂から構成され、上下及び左右方向に広がり且つフロアステップ１８側から上方に立上る立上り部３７と、立上り部３７の上端部から後方に向かって水平に延設されたステップ部３８とからなるアングル状をなし、ブロー成形により一体形成されており、ステップ部３８の上面側に滑り止めを設けることにより上述のリヤステップ２２を形成している。
【００２７】
なお、上述のフロアステップ形成体２８及びフロントステップ形成体３１は鉄板とその鉄板の上面に設けられたゴムマットからなり、このゴムマット上にステップ１８，２１が形成されており、サイドステップ形成体２９は合成樹脂により一体的に形成されている。
【００２８】
次に、図３乃至７に基づき左右のリヤステップ形成体の構成について詳述する。
図６は、リヤステップ形成体の支持構造を示す斜視図であり、図７は、リヤステップ形成体の側断面図である。リヤステップ形成体３２は、二重円筒型ダイから押出された溶融状態の合成樹脂製筒状体であるバリソンを、金型（形成型）を構成する一対の分割片により挟み込んだ状態で、金型をなすように一対の分割片の開放端側同士を接合された後、ノズル等によりバリソン内周側に圧縮空気を吹込んで該バリソンを膨張させ、金型の内面側にバリソンの外面を接触させることにより、金型の内面形状の沿う外形を有する中空状の合成樹脂製部材を成形し、その後の冷却によって合成樹脂を硬化させるブロー成形を行うことにより、一体形成される。
【００２９】
また、上記バリソンを膨張させた後、所定箇所を押し潰して圧縮することにより、該所定箇所にコンプレッション部３９，４１を形成するが、リヤステップ形成体３２の上記コンプレッション部３９，４１の箇所は、非中空状となるか、又は中空体積が小さくなっている。そして、所定間隔離間されてリヤステップ形成体３２に左右対称配置された一対のコンプレッション部３９，４１を１組として、リヤステップ形成体３２のステップ部３８の上面と下面とに、それぞれ１組づつ設けられている。
【００３０】
ステップ部３８上面側の左右の各コンプレッション部３９，３９は、ステップ部３８の後端部に凹状形成されたボルト固定用コンプレッション部となり、ステップ部３８下面側の左右の各コンプレッション部４１，４１は、ステップ３８の中途部から後端に至り後方が開放された前後方向の溝状コンプレッション部となる。そして、ステップ部３８には、ボルト固定用コンプレッション部３９から溝状コンプレッション部４１の後端部に至る上下方向のボルト孔３８ａが形成される一方で、溝状コンプレッション部４１の前端部には、凹凸嵌合用の凸部（嵌合部）４２が突出形成されている。
【００３１】
さらに、立上り部３７の下端部には、ステップフレーム２６側にボルト固定される背面視方形状のボルト固定板（ボルト固定部）４３が下方側に一体的に突出形成されている。
【００３２】
すなわち、リヤステップ形成体３２は、中空状の合成樹脂材であり、金型の内面形状に沿うアングル状の外形を有しており、リヤステップ２２を形成する滑り止め、各コンプレッション部３９，４１及びボルト固定板４３等を含む各部位がブロー成形により、一体形成される。この際、左右のリヤステップ形成体３２は、それぞれ、各コンプレッション部３９，４１及びボルト固定板４３を含めて、左右方向中心を境に左右対称な形状をなし、互いに同一の形状となっているため、左右の両リヤステップ形成体３２，３２は、共通の金型を用いてブロー成形により製造できる。
【００３３】
続いて、リヤステップ形成体３２を支持する構造について、左右の一方側（図示する例では左側）を例に説明すると、メインフレーム２４のリヤセンターステップ３４側からは外側方に向かって丸パイプが突設されて上段フレーム４４を構成しており、この上段フレーム４４には、前後方向の支持ブラケット（支持部材）４６が左右一対で設けられている。
【００３４】
左右の支持ブラケット４６，４６は、それぞれ、上記左右の溝状コンプレッション部４１，４１内に嵌合収容され、これに伴い、リヤステップ形成３２のステップ部３８が左右の支持ブラケット４６に左右動を規制された状態で、支持される。この際、各支持ブラケット４６上面の後端部にはボルト孔４６ａが、前端部には溝状コンプレッション部４１の凸部４２と凹凸嵌合する嵌合孔（嵌合部）４６ｂが、それぞれ穿設されている。
【００３５】
また、上段フレーム４４の前方斜め下方には左右方向の下段フレーム４７が設置されている。この下段フレーム４７の基端部はメインフレーム２４に固着され、基端部の外側方に位置する先端部には下段フレーム４７からさらに外側方に突出する左右方向の支持プレート４８の基端部が取付固定されている。
【００３６】
ところで、メインフレーム２４には、平面視後方が開放されたＵ字状に屈曲形成された主フレーム４９の中央部側が固着されており、この主フレーム４９の両端部４９ａ，４９ａが、左右のステップフレーム２６の上記支持プレート４８の先端部上面にそれぞれ固着されている。そして、ステップフレーム２６を構成する主フレーム４９の端部４９ａ及び下段フレーム４７の上面に、立上り部３７の下端部が当接状態で前後にスライド可能に載置される。ちなみに、この状態では、溝状コンプレッション部４１も支持ブラケット４６に対して前後スライド自在な状態になる。
【００３７】
そして、上位載置状態から、上記ボルト固定板４３が支持プレート４８に当接する位置までリヤステップ形成体３２を前方スライド移動させ、左右の溝状コンプレッション部４１に対応する左右の支持ブラケット４６が収容係合されるように、ステップ部３８を左右の支持ブラケット４６，４６上の載置すると、凸部４２と嵌合孔４６ｂが凹凸嵌合し、ステップ部３８側のボルト孔３８ａと支持ブラケット４６側のボルト孔４６ａの位置が一致し、リヤステップ形成体３２の前後動及び左右動が規制された状態になる。
【００３８】
この状態から、ステップ部３８側及び支持ブラケット４６側のボルト孔３８ａ，４６ａにボルト５１を挿通させ締付けることにより、ステップ部３８（詳しくは、溝状コンプレッション部４１）が支持ブラケット４６にボルト固定され、ボルト固定板４３をステップフレーム２６の支持プレート４８にボルト固定することにより、立上り部３７がステップフレーム２６に取付固定される。
【００３９】
以上により、リヤステップ形成体３２の各コンプレッション部３９，４１及びボルト固定板４３は、リヤステップ形成体３２をステップフレーム２６の取付けるための取付部として機能しており、溝状コンプレッション部４１によるリヤステップ形成体３２の左右動規制や、ボルト固定板４３及び凸部４２によるリヤステップ形成体３２の前後動規制によって、リヤステップ形成体３２のステップフレーム２６への組付作業を簡易且つ効率的に行うことが可能になる。
【符号の説明】
【００４０】
３  走行機体
４  植付作業機
１３  操縦部
１８  フロアステップ
２２  リヤステップ
２６  ステップフレーム
３２  リヤステップ形成体（ステップ形成体）
３７  立上り部
３８  ステップ部
３９  溝状コンプレッション部（コンプレッション部）
４１  ボルト固定用コンプレッション部（コンプレッション部）
４２  凸部（嵌合部）
４３  ボルト固定板（ボルト固定部）
４６  支持ブラケット（支持部材）
【図１】
2011030443.tif 000003
【図２】
2011030443.tif 000004
【図３】
2011030443.tif 000005
【図４】
2011030443.tif 000006
【図５】
2011030443.tif 000007
【図６】
2011030443.tif 000008
【図７】
2011030443.tif 000009